(57)【要約】      （修正有）【課題】微量な検体サンプルの採取・排出操作が大変容易く行え、併せて経済性にも優れ、加えて交叉汚染の効果的な防止を図れる呼気・吸気作動用ピペットを提供する。【解決手段】検体サンプル８を呼気・吸気で先端具７内に吸引・排出する形式のピペットであって、気液不透過性で、それ自体が弾性復元性を備えない可撓性の素材からなる隔膜４で内部空間を吸い口側の空間Ｓ１とチューブ側の空間Ｓ２とに隔絶することで交叉交換を防止するハウジング３が、検体サンプル８を収容するための先端具７を取り付ける先端取付け部材５に対して可及的に吸い口２側に偏倚して配置されている。【選択図】図２
0003184708.tif 000002
【実用新案登録請求の範囲】
【請求項１】
検体サンプルを受け入れる先端具内の気体の吸引・排出の駆動源が息の吸・排であつて、一対のカップ体からなる気密なハウジングの一端に設けられた吸い口取付け部に吸い口が着脱自在に接続される一方、他端に設けられたチューブ取付け部にチューブが着脱自在に接続され、かつ、前記ハウジングには内部空間を吸い口側とチューブ側とに隔絶する気液不透過性の隔膜が設けられ、前記チューブの先端には前記検体サンプルを受け入れる先端具を着脱自在に接続するための先端具取付け部材が着脱自在に接続されてなるとともに、前記ハウジングはこの先端具取付け部材に対して可及的に前記吸い口側に偏倚して配置されることを特徴とする呼気・吸気作動用ピペット。
【請求項２】
隔膜は、前記カップ体の赤道部の開口部平面積よりも広い面積を有してそれ自体が弾性復元性を備えない可撓性の素材からなる薄膜で、呼気の吸排気によってのみハウジングの内部空間を吸い口側とチューブ側とに変位可能に構成され、移行後は、次の吸排のない限り、その位置を保つ請求項１に記載の呼気・吸気作動用ピペット。
【請求項３】
ハウジングは赤道部で吸い口側とチューブ側とに分割された一対のカップ体から成り、赤道部の開放部を対峙させ、当該赤道部に設けられた接続構造部によって互いに一体的に接続され、かつ、当該接続構造部で隔膜も一体に定着してなる請求項１又は２のいずれかに記載の呼気・吸気作動用ピペット。
【請求項４】
接続構造部は、一方のカップ体の赤道部外壁の外側全周にわたって他方のカップ体に向け一体に延設されたリブと、他方のカップ体の赤道部外壁の外側全周にわたって前記一方のカップ体のリブの外面に接するに足る寸法張り出させて設けて外壁との間で前記一方のカップ体側に向かった開口が解放された挿し込み溝とから構成され、一方のカップ体の前記リブを他方のカップ体の前記挿し込み溝内に隔膜共々挿し込むことで、一体化される前記１〜３のいずれかに記載の呼気・吸気作動用ピペット。
【請求項５】
ハウジングは外形形状が球体である請求項１〜４のいずれかに記載の呼気・吸気作動用ピペット。
【考案の詳細な説明】
【技術分野】
【０００１】
本考案は、検体サンプルを受け入れる先端具内の気体の吸・排気の吸引源が息の吸・排による呼気・吸気作動用ピペットに関する。
【背景技術】
【０００２】
従来から、医学、生物学的な研究や試験などで、例えば被験者の皮膚、骨、血管、臓器等の細胞、組織、培地等を含む液体、培養液等（便宜上、これらを総称して以下単に検体サンプルと言う）を先端具内に採取したり、そこから排出したりする駆動源は手動や電動、更には息の吸・排など種々の手段が採用されている。この場合に、検体サンプルが殊にミクロン単位であったり、取り扱い量が極微量な場合には、手動や電動によるものに比べて、取り扱い易さと、正確さ、更には経済性の観点から、一端に唇で咥えるマウスピース（吸い口）０１を備えたチューブ０２と、このチューブ０２の先端に先端具取付け部材０３とを備え、この先端具取付け部材０３には使い捨ての先端具０４が装着される、所謂呼気・吸気作動用ピペット（図７参照）が良く採用される。
【０００３】
このような従来の呼気・吸気作動用ピペットは、マウスピース０１を唇に咥えて息を吸い込み、先端具０４のサンプル空間０５内に検体サンプル０６を吸引し、次いで息を吹き出し、先端具０４内の検体サンプル０６を、例えば図外のシャーレであったり、顕微鏡等に移し替える。その際、先端具０４のサンプル空間０５内で検体サンプル０６に接触した空気は、先端具取付け部０３を介してチューブ０２内に吸い込まれることになる。また、逆に呼気や唾液がチューブ０２内に入り込み、先端具０４のサンプル空間０５内の検体サンプル０６と接触するおそれがある。この状態から、検体サンプル０６を先端具０４から排出した後、先端具０４を交換しても、チューブ０２内には先の検体サンプル０６に接触した空気や呼気或いは唾液が残存している可能性がある。また、排出した検体サンプル０６も既に息や唾液で汚染されているおそれがある。
【０００４】
従って、この種の従来構造では、たとえ先端具０４を交換しても、完全な交叉汚染を防止することは不可能であり、たとえ洗浄したとしても、１００％の無菌状態や清浄性を確保することは困難で、交叉汚染の根絶は不可能であり、最終的には器具そのものを新品と交換せねばならなくなり、経済的にも有利とは言えない。
【０００５】
このような問題点を解決する一つの手段として、チューブ０２の先端部に気密なハウジング０７を取付け、このハウジング０７の中に隔膜０８を配置して、ハウジング０７内の空間０９を先端具側０９Ａと吸引側０９Ｂとに隔絶し、先端具０４側の空気がチューブ０２やマウスピース０１側に、また逆にマウスピース０１やチューブ０２側の呼気や唾液が先端具０４側に互いに移行することを避けるようにした器具が見られる（図８、特許文献１参照）。
【０００６】
しかし、この市販品等は、隔膜０８が微細な連続気泡を持った合成樹脂製や不織布の薄膜であったりするために、気体や唾液の行き来を上手く遮断できず、交叉汚染の根絶には今一つ完成度が足りないきらいがある。また、隔膜０８は平たく張られて、緊張状態で設けられているために、吸排気時に引き延ばされて、それ自体に弾性復元性が備わってしまい、吸気・吸気の合間に、口元から僅かでも空気が漏れると、検体サンプル０６を先端具０４内へ上手く吸引できなかったり、検体サンプル０６を先端具０４から上手く排出できなかったりし、操作が大変難しい問題点があった。更に、先端具０４の取付け具０３の直ぐ背部にハウジング０７が配置されているから、殊に顕微鏡などを覗きながらの操作では、このハウジング０７が操作の邪魔になり、繊細且つ微妙な操作に支障が生じ、取り扱い
が大変不便であった。
【考案の概要】
【考案が解決しようとする課題】
【０００７】
本考案は、上記従来技術の問題点を解決するために研究開発されたもので、本考案の目的は、微量な検体サンプルの採取・排出操作が大変容易く行え、併せて経済性にも優れ、加えて交叉汚染の効果的な防止を図れる呼気・吸気作動用ピペットを提供することである。
【課題を解決するための手段】
【０００８】
上記の目的を達成するために本考案の請求項１に記載の呼気・吸気作動用ピペットは、検体サンプルを受け入れる先端具内の気体の吸引・排出の駆動源が息の吸・排であつて、一対のカップ体からなる気密なハウジングの一端に設けられた吸い口取付け部に吸い口が着脱自在に接続される一方、他端に設けられたチューブ取付け部にチューブが着脱自在に接続され、かつ、前記ハウジングには内部空間を吸い口側とチューブ側とに隔絶する気液不透過性の隔膜が設けられ、前記チューブの先端には前記検体サンプルを受け入れる先端具を着脱自在に接続するための先端具取付け部材が着脱自在に接続されてなるとともに、前記ハウジングはこの先端具取付け部材に対して可及的に前記吸い口側に偏倚して配置されたものである。
【０００９】
この呼気・吸気作動用ピペットによれば、吸い口を口に咥えて、息を吸い込むと、この吸引力は、ハウジング内の吸い口側の空間の空気を吸出し、当該空間を減圧する。この減圧に伴って、隔膜が、この吸い口側の空間側に引き込まれる。この隔膜の偏倚によって、この吸い口側の空間と隔膜を隔てて対峙する、つまりチューブ側の空間が減圧される。この減圧はチューブを介して先端具のサンプル空間に伝わり、このサンプル空間が減圧され、当該先端具の先端開口から検体サンプルがサンプル空間内へ吸引されることになる。
逆に、検体サンプルを他の箇所へ排出するには、先端具を所定の箇所へ移動させ、吸い口へ息を吹き込むと、ハウジング内の吸い口側の空間が加圧される。この加圧に伴って、隔膜が、チューブ側の空間内へ押し出される。この隔膜の変位によって、チューブ側の空間が加圧され、この加圧はチューブを介して先端具のサンプル空間に伝わり、このサンプル空間が加圧され、当該先端具の先端開口から検体サンプルが排出される。
【考案の効果】
【００１０】
上記のように構成された呼気・吸気作動用ピペットは、チューブの先端側には先端具取り付け部材、更にこれに挿し込まれた先端具のみが存在していて、ハウジングはこの先端具取り付け部材から可及的に遠く離れた口元近くの吸い口側に偏倚して存在することになる。その結果、例えば顕微鏡などを覗きながらの検体サンプルの操作では、接眼レンズ近く、また、先端具を把持する手元周りには、ピペット全体の嵩としては大きな部分を占めるハウジングが存在しないので、ピペットの操作の自由度が格段に改善され、大変取り扱い易くなった。
【００１１】
また、ハウジングは先端具から遠く距離を置いた吸い口の近くに位置するために、先端具の直ぐ後ろにハウジングが位置する従来品に比べて、ハウジング内の隔膜の移動による先端具のサンプル空間内に与えられる減圧、加圧作用力が直に影響し難く、長いチューブ内の通気路を介して伝播されることによって、ソフトな減圧、加圧作用力に変化し、瞬間的、かつ、急激な吸入、排出を抑制でき、より微妙な取り扱いを可能にする。
【００１２】
更に、ハウジング内の隔膜によって、吸い口側の通気路とチューブ側並びに先端具側の各通気路との間が隔絶されているので、吸引すべき検体サンプルに接した空気がチューブを介して吸い口に達することがない。また逆に吸い口からの呼気や唾液がチューブを介し
て先端具に達することもない。したがって、交叉汚染を上手く防止することが出来る。
【００１３】
以上の構成において、この考案では、請求項２に記載のように、隔膜は、前記カップ体の赤道部の開口部平面積よりも広い面積を有してそれ自体が弾性復元性を備えない可撓性の素材からなる薄膜で、呼気・吸気によってのみハウジングの内部空間を吸い口側とチューブ側とに変位可能に構成され、移行後は、次の呼気若しくは吸気のない限り、その位置を保つのが望ましい。
隔膜自体に弾性復元力が生じる従来のものと違って、たとえ吸い口を口元から外しても、ハウジング内の気圧には何ら変化を及ぼさず、検体サンプルを先端具に対して妄りに吸入・排出したり、定量採取に支障を来す等のおそれを未然に防止できる。
【００１４】
また、請求項３に記載のように、ハウジングは赤道部で吸い口側とチューブ側とに分割された一対のカップ体から成り、赤道部の開放部を対峙させ、当該赤道部に設けられた接続構造部によって互いに一体的に接続され、かつ、当該接続構造部で隔膜も一体に定着してなるのが望ましい。
構造が簡単で、製造も容易である上に、殊に両カップ体が嵌合だけによって接続されている場合には、使用者であっても隔膜の交換なども容易に行えるからである。
【００１５】
更には、請求項４に記載のように、接続構造部は、一方のカップ体の赤道部外壁の外側全周にわたって他方のカップ体に向け一体に延設されたリブと、他方のカップ体の赤道部外壁の外側全周にわたって前記一方のカップ体のリブの外面に接するに足る寸法張り出させて設けて外壁との間で前記一方のカップ体側に向かった開口が解放された挿し込み溝とから構成され、一方のカップ体の前記リブを他方のカップ体の前記挿し込み溝内に隔膜共々挿し込むことで、一体化されるのが望ましい。
隔膜の定着手段並びにハウジングの組み付け手段が簡素で、またハウジング並びに隔膜の組み付けも容易となり、殊に両カップ体が嵌合だけによって接続されている場合には、使用者によってもハウジングや隔膜の組み付け、分解・交換なども容易となるからである。しかも、この挿し込み溝への前記リブの挿し込みに伴って、前記隔膜のこの挿し込み溝上に宛がわれている部分が共に当該挿し込み溝内に押し込まれて、定着されるので、挿し込まれた隔膜がシール部材としての機能を発揮し、挿し込み溝の気密、ひいてはハウジング内の空間の気密を上手く保つからである。
【００１６】
また、請求項５に記載のように、ハウジングは外形形状が球体であるのが望ましい。
隔膜を張設した際に、隔膜に掛かるテンションが、例えば角柱などのように一部分に集中して、全周にわたってアンバランスになるものに比べて、全周にわたって均一になり易く、隔膜の位置移動がスムースで、且つ、気圧変化に場所的な差を生じ難い利点があることと、角柱や円柱等に比べて嵩低く構成でき、取り扱い易く、廉価に提供できるからである。
【図面の簡単な説明】
【００１７】
【図１】本考案呼気・吸気作動用ピペットを示し、チューブ並びに先端具の中間部を省略して表すと共に、一部を引き出して拡大した部分拡大図を含む全体の説明断面図である。
【図２】作用の説明図である。
【図３】吸い口の別の構成を示す要部の拡大断面図である。
【図４】カップ体の別の接続手段を示す要部の断面図である。
【図５】カップ体の更に別の接続手段を示す要部の断面図である。
【図６】先端具取り付け部材の別の構成を示す要部の断面図である。
【図７】従来品の全体説明図である。
【図８】ハウジングを備えた従来品の全体説明図である。
【考案を実施するための形態】
【００１８】
以下、本考案の実施例を説明する。
図１は本考案に係る呼気・吸気作動用ピペットの全体図で、このピペット１は、吸い口２と、この吸い口２に着脱自在に接続されるハウジング３と、このハウジング３内の空間Ｓに配置された隔膜４と、このハウジング３と先端具取り付け部材５とを着脱自在に接続するチューブ６と、先端具取り付け部材５に着脱自在に接続される先端具７とから構成される。先端具７は内部にサンプル空間７Ａを備え、先端の開口７Ｂから検体サンプル８（図２参照）を吸引収容したり、排出したりできる。
【００１９】
吸い口２は、唇で咥え易いように、断面形状が扁平な咥え部２Ａとその下端に一体に連なる筒状の接続部２Ｂからなり、内部には咥え部２Ａからこの接続部２Ｂを貫通して通気路２Ｃが設けられている。
【００２０】
ハウジング３は、赤道部分３Ａを中心にして、吸い口側のカップ体９とチューブ側のカップ体１０とに分割された一対のカップ体からなり、一対がこの赤道部分３Ａの開放部を対峙させて互いに咬み合わされて一体的に接続される。従って、全体形状は球形を呈する。また、吸い口側のカップ体９の頂部（極部）には吸い口取り付け部としての円柱状の接続部９Ａが一体に設けられていると共に、チューブ側のカップ体１０の頂部（極部）にもチューブ取付け部としての円柱状の接続部１０Ａが一体に設けられている。これらの接続部９Ａ、１０Ａは共に軸心部に夫々のカップ体９, １０の内部空間Ｓ１、Ｓ２と連なる通気路９Ｂ、１０Ｂが設けられている。前記吸い口側のカップ体９の接続部９Ａと前記吸い口２の接続部２Ｂは短いチューブ１１を介して、通気可能に接続されている。また、この短いチューブ１１は、シリコーン樹脂を素材とし、内部に通気路１１Ａを備えた、弾性変形可能で可撓性のある中空体である。
【００２１】
更に、両カップ体９、１０の赤道部３Ａには、両カップ体９、１０と前記隔膜４の接続構造部１２が設けられる。具体構成を以下に詳述する。
先ず、吸い口側のカップ体９の外壁９ａの辺縁９ｂには、全周にわたってチューブ側のカップ体１０側に向かって延設されたリブ１２１がこのカップ体９の壁厚と同等の寸法外方（放射方向）へ張り出させて一体に設けられる。また、チューブ側のカップ体１０の赤道部３Ａの外壁１０ａの辺縁１０ｂの全周には、当該辺縁１０ｂから頂部（極側）へ少し偏倚した部位から、前記リブ１２１の外面に接するに足る寸法張り出させて、リブ１２２が吸い口側のカップ体９側に向けて一体に突設されていて、開口が吸い口側のカップ体９側に向かって開放された断面欧文字のＵ字形をした挿し込み溝１３が形成されている。従って、当該差し込み溝１３に吸い口側のカップ体の前記リブ１２１が所定深さ差し込まれることによって、ハウジング３が形成される。
【００２２】
隔膜４は、前記ハウジング３の両カップ体９、１０の赤道部３Ａの辺縁で定着される。また、この隔膜４は、前記赤道部３Ａの開放部の平面積よりも広い平面積を有し、それ自体が弾性復元性を備えない可撓性のある薄膜シートで構成されている。素材はシリコーン樹脂の薄膜シートを採用している。シートの厚みは、検体サンプル８の採取量によって適宜に選択されるが、本実施例の場合は、０．０４〜０．１２ｍｍで、好ましくは０．０５
〜０．１ｍｍの範囲から適宜の厚さのものが採用される。
【００２３】
前記隔膜４をハウジング３内に装着するには、チューブ側のカップ体１０の赤道部３Ａの開放部に隔膜４を載置する。次いで、その中心部分をこのチューブ側のカップ体１０の空間Ｓ２内へ、中心部分がこのカップ体１０の頂部（極部）近くに至るまで適宜に押し込む。これによって隔膜４は、図１に示すように、中央部分が大きく空間Ｓ２内へ凹んだ形で収容される。引き続き、吸い口側のカップ体９の前記リブ１２１を前記チューブ側のカップ体１０の前記挿し込み溝１３上に宛がう。この状態から、両カップ体９、１０を互いに近づくように押し合うことで、前記吸い口側のカップ体９の前記リブ１２１が前記チューブ側のカップ体１０の前記挿し込み溝１３に挿し込まれる。この挿し込み溝１３への前記リブ１２１の嵌合に伴って、前記隔膜４のこの挿し込み溝１３上に宛がわれている部分が共に当該挿し込み溝１３内に押し込まれて、定着される。挿し込み溝１３の幅は前記リブ１２１を挿入するに足るだけの狭い幅であるために、押し込まれた隔膜４がシール部材としての機能を発揮し、挿し込み溝１３の気密を上手く保ち、ひいてはハウジング３内の気密を上手く保つ。
【００２４】
従って、この隔膜４はそれ自体が弾性復元性を備えない可撓性を備えた薄膜シートであるから、隔膜４よって形成されるハウジング３内の二つの空間、つまり吸い口側の空間Ｓ１とチューブ側の空間Ｓ２との間を呼気・吸気に伴って、自在に移行でき、移行後は、次の呼気もしくは吸気がない限り、その位置を保つ。これによって、隔膜４自体に弾性復元力が生じる従来のものと違って、吸い口２を口元から外しても、ハウジング３内の気圧には何ら変化を及ぼさず、検体サンプル８を先端具７に妄りに吸入・排出したり、定量採取に支障を来すおそれ等を未然に防止できる。
【００２５】
先端具取り付け部材５は、内部に通気路５Ａを一体に備えた中空筒体である。通気路５Ａの前記チューブ６側の開口５Ｂには接続アタッチメント１６が、チューブ６側に一部を突出させて、着脱自在に差し込まれ、その突出部分１６Ａに前記チューブ６の他端が着脱自在に外嵌合される。また、この先端具取り付け部材５の他方側は順次先広がりの挿し込み孔５Ｃに形成されていて、当該挿し込み孔５Ｃに先端具７が着脱自在に挿し込まれる。この先端具７は、本実施例では、図示するように、マイクロピペット用としての細径ガラス管に適用できるように構成されている。また、先端具取り付け部材５は、弾性があり、且つ、可撓性のある素材、一例としてシリコーン樹脂で形成されているため、先端具７が細径ガラス管であったとしても、その外表面にうまく馴染み、気密性を上手く保つ。
【００２６】
チューブ６は、内部に通気路６Ａを備えた、弾性変形可能で可撓性のある中空体である。本実施例で採用されるチューブ６の長さは３０ｃｍである。このチューブ６の長さは、必要に応じて適宜選択される。このチューブ６の前記通気路６Ａの直径は前記ハウジング３のチューブ側のカップ体１０に設けられている接続部１０Ａの外径とほぼ同等に形成されていて、一端がこのチューブ側のカップ体１０の前記接続部１０Ａに外嵌合される。
【００２７】
前記吸い口２、ハウジング３、隔膜４、先端具取り付け部材５、チューブ６、先端具７、短いチューブ１１、リブ１２、更には接続アタッチメント１６は、交叉汚染を未然に防止すことに加えて、検体サンプル８の清浄性を保ち、またデーター等の信頼性を高度に保つと言うこの種ピペットの特性上から、天然ゴムのように可塑剤などが揮散しないように、合成樹脂素材が望ましく、具体的にはポリ塩化ビニル、シリコーン樹脂、更にはポリプロピレンやポリエチレン等が採用される。
【００２８】
本実施形態では、図１に示される各部品が互いに接続された状態において、吸い口２を口に咥えて、息を吸い込む。この吸引力は、短いチューブ１１の通気路１１Ａを介してハウジング３内の吸い口側の空間Ｓ１内の空気を吸出し、当該空間Ｓ１を減圧する。この減
圧に伴って、隔膜４が、図２中、空間Ｓ２に想像線で示す位置から、空間Ｓ１側の実線で示す位置へ引き込まれる。この隔膜４の移行によって、この吸い口側の空間Ｓ１と隔膜４を隔てて対峙する、つまりチューブ側の空間Ｓ２が減圧される。この減圧はチューブ６の通気路６Ａを介して先端具７のサンプル空間７Ａに伝わり、このサンプル空間７Ａが減圧され、当該先端具７の先端開口７Ｂから検体サンプル（図例では培養液）８がサンプル空間７Ａ内へ吸引されることになる。
【００２９】
逆に、検体サンプル８を他の箇所へ排出するには、先端具７を所定の箇所へ移動させ、図２に示された状態から、吸い口２へ息を吹き込むと、ハウジング３内の隔膜４が図２の実線で示される吸い口側の空間Ｓ１から、図１の実線で示されるチューブ側の空間Ｓ２へ移行される。この隔膜４の移行は、チューブ側の空間Ｓ２内の気体をチューブ６の通気路６Ａから先端具取り付け部材５の通気路５Ａを介して先端具７のサンプル空間７Ａ内を加圧し、当該サンプル空間７Ａ内に納められている検体サンプル８を開口７Ｂから排出する。
【００３０】
本実施形態では、ハウジング３内の隔膜４によって、吸い口２側の通気路２Ａ、１１Ａとチューブ６側並びに先端具７側の夫々の通気路６Ａ、７Ａとの間が隔絶されているので、吸引すべき検体サンプル８に接した空気がチューブ６を介して吸い口２に達することがない。また逆に吸い口２からの呼気や唾液がチューブ６を介して先端具７に達することもない。したがって、交叉汚染を上手く防止することが出来る。
【００３１】
しかも、隔膜４は、前記の通り、それ自体が弾性復元性を備えない可撓性を備えた薄膜シートであるから、このハウジング３内の空間を呼気・吸気に伴って、ハウジング３内の吸い口側の空間Ｓ１とチューブ側の空間Ｓ２とに自在に移行でき、移行後は、次の呼気若しくは吸気がない限り、その位置を保つ。これによって、隔膜４自体に弾性復元力が生じる従来のものと違って、たとえ吸い口２を口元から外しても、ハウジング３内の気圧には何ら変化を及ぼさず、検体サンプル８を先端具７に対して妄りに吸入・排出したり、定量採取に支障を来す等のおそれを未然に防止できる。
【００３２】
更に、また、チューブ６の先端側には細径の先端具取り付け部材５、更にこれに挿し込まれた先端具７のみが存在していて、ハウジング３はこの先端具取り付け部材５から可及的に遠く離れた口元近くの吸い口２側に偏倚して存在することになる。その結果、例えば顕微鏡などを覗きながらの検体サンプル８の操作では、接眼レンズ近く、また、先端具７を把持する手元周りには、ピペット全体の嵩としては大きな部分を占めるハウジング３が存在しないので、ピペット１の操作の自由度が格段に改善され、大変取り扱い易い。
【００３３】
また、ハウジング３は先端具７から遠く距離を置いた吸い口２の近くに位置するために、先端具の直ぐ後ろにハウジングが位置する従来品に比べて、ハウジング３内の隔膜の移行による先端具７のサンプル空間７Ａ内に与えられる減圧、加圧作用力が直接的には影響し難く、長いチューブ６内の通気路６Ａを介して伝播されることによって、ソフトな減圧、加圧作用力に変化し、瞬間的、かつ急激な吸入、排出を抑制でき、より微妙な取り扱いを可能にする。
【００３４】
なお、図例では両接続部２Ｂ、９Ａを短いチューブ１１で接続する例を示したが、図３に示すように、吸い口２の接続部２Ｂの内径を前記吸い口側の接続部９Ａの外径と同等にして、吸い口２の接続部２Ｂをこの吸い口側のカップ体９の接続部９Ａに直に嵌め込む構成も採用できる。
【００３５】
また、このハウジング３を構成するにあたっては、必要に応じて、差し込み溝１３内に適宜に接着剤（図外）を流し込み、この接着剤によって隔膜４と差し込み溝１３の内面を
接着したり、熱溶着することで一体的若しくは一体に接続できる。より一層高い気密性を確保する場合に有効な手段である。この他、図４に示すように、両カップ体９、１０を嵌合した後にできる吸い口側のカップ体９とチューブ側のカップ体１０との前記接続構造部１２に出来る段差部分１４を接着剤１５で接合する手段も採用できる。
【００３６】
更に、ハウジング３は、図５に示すように、前記リブ１２を設けずに、両カップ体９、１０の直径を同じにして、赤道部３Ａの前記外壁９ａ、１０ａの辺縁９ｂ、１０ｂ同士を、間に前記隔膜４を挟持させた状態で、この隔膜４共々に直接に接着剤（図外）や熱溶着等の手段で一体的に接続する手段も採用できる。
【００３７】
また、先端具取り付け部材５とチューブ６との接続には接続アタッチメント１６が採用されているが、この構造に代えて、図６に示すように、先端具取り付け部材５に一体に接続筒部５Ｂを設けることもできる。
具体的には、この接続筒部 5Ｂは、外周りの直径をチューブ６の通気路６Ａの直径よりもやや長めにして、先端具取り付け部材５の上端から一体に突設されている。部品点数を少なくした、より廉価に提供できる上に、製造の手間、接続の手間を少なくできる上で有利である。
【００３８】
また、図例では、挿し込み溝１３をチューブ側のカップ体に１０に設け、吸い口側のカップ体の９の辺縁９ｂのリブ１２１をこれに挿し込む構成を示しているが、逆の構成、すなわち、挿し込み溝１３を吸い口側のカップ体９に設け、チューブ側のカップ体１０の辺縁１０ｂに設けたリブをこれに挿し込む構成であっても同等の作用効果が得られることは言うまでもない。
【符号の説明】
【００３９】
１…ピペット
２…吸い口
２Ｃ…通気路
３…ハウジング
３Ａ…赤道部
４…隔膜
５…先端具取り付け部材
５Ａ…通気路
６…チューブ
６Ａ…通気路
７…先端具
７Ａ…サンプル空間
８…検体サンプル
９…吸い口側カップ体
１０…チューブ側カップ体
１２…接続構造部
１２１…リブ
１３…挿し込み溝
Ｓ…ハウジング内の空間
Ｓ１…吸い口側の空間
Ｓ２…チューブ側の空間
【先行技術文献】
【特許文献】
【００４０】
【特許文献１】特開２０１０−１５６５４５号公報
【図１】
0003184708.tif 000003
【図２】
0003184708.tif 000004
【図３】
0003184708.tif 000005
【図４】
0003184708.tif 000006
【図５】
0003184708.tif 000007
【図６】
0003184708.tif 000008
【図７】
0003184708.tif 000009
【図８】
0003184708.tif 000010